(57)【要約】【課題】操作性に優れた新規なヒューマンインターフェイスを提供する。または、操作性に優れた新規な情報処理装置を提供する。または、新規な情報処理装置や新規な表示装置などを提供する。【解決手段】画像情報が供給され位置情報を供給する入出力装置と画像情報を供給し位置情報を供給される演算装置を有する。入出力装置は、屈曲部、屈曲部を挟む第１の領域および第２の領域を備え、第１の領域と第２の領域はそれぞれ表示部および表示部に重なる位置情報入力部を備える。演算装置は演算部と、演算部に実行させるプログラムを記憶する記憶部と、を有する構成に想到した。【選択図】図２
2019164828.tif 000002
【特許請求の範囲】
【請求項１】
表示部と一体化される、イン・セル型タッチセンサを有し、
前記表示部は、第１の表示領域と、前記第１の表示領域より延在する第２の表示領域とを有し、
前記第１の表示領域と前記第２の表示領域との間は、曲面形状を有し、
前記イン・セル型タッチセンサは、前記第１の表示領域と重なる第１の領域と、前記第２の表示領域と重なる第２の領域と、非表示部と重なる第３の領域とを有する、
情報処理装置。
【請求項２】
表示部と一体化される、イン・セル型タッチセンサを有し、
前記表示部は、第１の表示領域と、前記第１の表示領域より延在する第２の表示領域とを有し、
前記第１の表示領域と前記第２の表示領域との間は、曲面形状を有し、
前記イン・セル型タッチセンサは、前記第１の表示領域と重なる第１の領域と、前記第２の表示領域と重なる第２の領域と、非表示部と重なる第３の領域とを有し、
前記イン・セル型タッチセンサは、可撓性の基板上に設けられた容量式のタッチセンサ又は光学式のタッチセンサを有する、
情報処理装置。
【発明の詳細な説明】
【技術分野】
【０００１】
本発明の一態様は、画像情報の処理および表示方法、プログラムおよびプログラムが記録
された記録媒体を有する装置に関する。特に、本発明の一態様は、表示部を備える情報処
理装置に処理された情報を含む画像を表示する画像情報の処理、表示方法および表示部を
備える情報処理装置に処理された情報を含む画像を表示させるプログラム並びに当該プロ
グラムが記録された記録媒体を有する情報処理装置に関する。
【０００２】
なお、本発明の一態様は、上記の技術分野に限定されない。本明細書等で開示する発明の
一態様の技術分野は、物、方法、または、製造方法に関するものである。または、本発明
の一態様は、プロセス、マシン、マニュファクチャ、または、組成物（コンポジション・
オブ・マター）に関するものである。そのため、より具体的に本明細書で開示する本発明
の一態様の技術分野としては、半導体装置、表示装置、発光装置、蓄電装置、記憶装置、
それらの駆動方法、または、それらの製造方法、を一例として挙げることができる。
【背景技術】
【０００３】
また、情報伝達手段に係る社会基盤が充実されている。これにより、多様で潤沢な情報を
職場や自宅だけでなく外出先でも情報処理装置を用いて取得、加工または発信できるよう
になっている。
【０００４】
このような背景において、携帯可能な情報処理装置が盛んに開発されている。
【０００５】
例えば、携帯可能な情報処理装置は持ち歩いて使用されることが多く、落下により思わぬ
力が情報処理装置およびそれに用いられる表示装置に加わることがある。破壊されにくい
表示装置の一例として、発光層を分離する構造体と第２の電極層との密着性が高められた
構成が知られている（特許文献１）。
【先行技術文献】
【特許文献】
【０００６】
【特許文献１】特開２０１２−１９０７９４号公報
【発明の概要】
【発明が解決しようとする課題】
【０００７】
本発明の一態様は、操作性に優れた新規なヒューマンインターフェイスを提供することを
課題の一とする。または、操作性に優れた新規な情報処理装置を提供することを課題の一
とする。または、新規な情報処理装置や新規な表示装置などを提供することを課題の一と
する。
【０００８】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【０００９】
本発明の一態様は、第１の画像情報と第２の画像情報が供給され、第１の位置情報および
第２の位置情報を供給する入出力装置と、第１の画像情報および第２の画像情報を供給し
、第１の位置情報および第２の位置情報が供給される演算装置と、を有する情報処理装置
である。
【００１０】
そして、入出力装置は、屈曲部、屈曲部を挟む第１の領域および第２の領域を備える。
【００１１】
第１の領域は、第１の表示部および第１の表示部に重なる第１の位置情報入力部を備え、
第２の領域は、第２の表示部および第２の表示部に重なる第２の位置情報入力部を備える
。
【００１２】
第１の表示部は、第１の画像情報が供給される。また、第１の位置情報入力部は、第１の
位置情報を供給する。
【００１３】
第２の表示部は、第２の画像情報が供給される。また、第２の位置情報入力部は、第２の
位置情報を供給する。
【００１４】
演算装置は、演算部および演算部に実行させるプログラムを記憶する記憶部を備え、演算
部は、第１の位置情報または第２の位置情報に基づいて、第１の画像情報または第２の画
像情報を生成する、情報処理装置である。
【００１５】
上記本発明の一態様の情報処理装置は、画像情報が供給され位置情報を供給する入出力装
置と画像情報を供給し位置情報を供給される演算装置を有する。入出力装置は、屈曲部、
屈曲部を挟む第１の領域および第２の領域を備え、第１の領域と第２の領域はそれぞれ表
示部および表示部に重なる位置情報入力部を備える。演算装置は演算部と、演算部に実行
させるプログラムを記憶する記憶部と、を含んで構成される。これにより、一方の領域か
ら供給された位置情報に基づいて画像情報を生成し、他方の領域に表示することができる
。その結果、新規な情報処理装置を提供できる。
【００１６】
また、本発明の一態様は、プログラムが、第１の画像情報を生成する第１のステップと、
割り込み処理を許可する第２のステップと、第１の画像情報を第１の表示部に表示する第
３のステップと、割り込み処理において、終了命令が供給された場合は第５のステップに
進み、供給されなかった場合は第３のステップに進む第４のステップと、終了する第５の
ステップと、を含む上記の情報処理装置である。
【００１７】
そして、割り込み処理は、第２の位置情報入力部から命令が供給された場合は、第７のス
テップに進み、供給されない場合は第８のステップに進む第６のステップと、第１の画像
情報を命令に基づいて生成する第７のステップと、割り込み処理から復帰する第８のステ
ップと、を備える。
【００１８】
上記本発明の一態様の情報処理装置は、第１の画像情報を第２の位置情報に基づいて生成
するステップを含んで構成される。これにより、第２の位置情報入力部を用いて第１の領
域に表示する画像情報を決定することができる。その結果、新規な情報処理装置を提供で
きる。
【００１９】
また、本発明の一態様は、割り込み処理が、第６のステップにおいて、第２の位置情報入
力部から終了命令が供給された場合に第８のステップに進むステップを、第６のステップ
の後に備える、上記の情報処理装置である。
【００２０】
上記本発明の一態様の情報処理装置は、第２の位置情報入力部が供給する位置情報が終了
命令に関連付けられている場合に、割り込み処理から復帰して、終了命令を供給するステ
ップを含んで構成される。これにより、第２の領域を用いて終了命令を供給することがで
きる。その結果、新規な情報処理装置を提供できる。
【００２１】
また、本発明の一態様は、プログラムが、ステータス情報を含む初期情報を取得する第１
のステップと、割り込み処理を許可する第２のステップと、所定の情報を取得する第３の
ステップと、ステータス情報が第１のステータスの場合は、第５のステップに進み、第２
のステータスの場合は第６のステップに進む第４のステップと、情報に基づいて第１の画
像情報を生成し、第１の画像情報を第１の表示部に表示する第５のステップと、情報に基
づいて第２の画像情報を生成し、第２の画像情報を第２の表示部に表示する第６のステッ
プと、割り込み処理において、終了命令が供給された場合は第８のステップに進み、供給
されなかった場合は第３のステップに進む第７のステップと、終了する第８のステップと
、を含む上記の情報処理装置である。
【００２２】
そして、割り込み処理は、ステータス情報を設定する命令が供給された場合は第１０のス
テップに進み、供給されなかった場合は第１１のステップに進む第９のステップと、供給
された命令に基づいてステータス情報を更新する第１０のステップと、割り込み処理から
復帰する第１１のステップと、を備える。
【００２３】
上記本発明の一態様の情報処理装置は、所定の情報を取得するステップと、ステータス情
報を設定するステップと、設定されたステータス情報に基づいて情報を含む画像情報を生
成し、表示部に表示するステップと、を含んで構成される。これにより、所定の情報を含
む画像をステータス情報に基づいて設定される領域に表示することができる。その結果、
新規な情報処理装置を提供できる。
【００２４】
また、本発明の一態様は、プログラムが、割り込み処理を許可する第１のステップと、着
信があった場合は第３のステップに進み、着信がない場合は第５のステップに進む第２の
ステップと、発信人に関する情報を取得する第３のステップと、発信人に関する情報を含
む第２の画像情報を生成し、第２の画像情報を表示する第４のステップと、割り込み処理
において、終了命令が供給された場合は第６のステップに進み、供給されなかった場合は
第２のステップに進む第５のステップと、終了する第６のステップと、を含む上記の情報
処理装置である。
【００２５】
そして、割り込み処理は、着信に応答する場合は第８のステップに、着信に応答しない場
合は第９のステップに進む第７のステップと、着信に応答する第８のステップと、第２の
画像情報の表示を停止する第９のステップと、割り込み処理から復帰する第１０のステッ
プと、を含む。
【００２６】
上記本発明の一態様の情報処理装置は、待ち受け状態において着信があった電話番号およ
び当該電話番号に関連付けられた情報を第２の表示部に表示するステップを含んで構成さ
れる。これにより、着信した電話番号とそれに関連付けられた情報を表示することができ
る。その結果、新規な情報処理装置を提供できる。
【発明の効果】
【００２７】
本発明の一態様によれば、操作性に優れた新規なヒューマンインターフェイスを提供でき
る。または、操作性に優れた新規な情報処理装置を提供できる。または、新規な情報処理
装置や新規な表示装置などを提供できる。なお、これらの効果の記載は、他の効果の存在
を妨げるものではない。なお、本発明の一態様は、必ずしも、これらの効果の全てを有す
る必要はない。なお、これら以外の効果は、明細書、図面、請求項などの記載から、自ず
と明らかとなるものであり、明細書、図面、請求項などの記載から、これら以外の効果を
抽出することが可能である。
【図面の簡単な説明】
【００２８】
【図１】実施の形態に係る情報処理装置の構成を説明するブロック図。
【図２】実施の形態に係る情報処理装置の構成を説明する模式図。
【図３】実施の形態に係る情報処理装置が記憶するプログラムを説明する図。
【図４】実施の形態に係る情報処理装置が記憶するプログラムに含まれる割り込み処理を説明する図。
【図５】実施の形態に係る情報処理装置が記憶するプログラムを説明する図。
【図６】実施の形態に係る情報処理装置が記憶するプログラムに含まれる割り込み処理を説明する図。
【図７】実施の形態に係る情報処理装置が記憶するプログラムを説明する図。
【図８】実施の形態に係る情報処理装置が記憶するプログラムに含まれる割り込み処理を説明する図。
【図９】実施の形態に係る情報処理装置に用いることができるタッチパネルの構成を説明する図。
【図１０】実施の形態に係る情報処理装置に用いることができるタッチパネルの構成を説明する図。
【図１１】実施の形態に係る情報処理装置に用いることができるタッチパネルの構成を説明する図。
【図１２】実施の形態に係る情報処理装置に用いることができるタッチパネルの構成を説明する図。
【図１３】実施の形態に係る情報処理装置を説明する図。
【発明を実施するための形態】
【００２９】
本発明の一態様の情報処理装置は、画像情報が供給され位置情報を供給する入出力装置と
画像情報を供給し位置情報を供給される演算装置を有する。入出力装置は、屈曲部、屈曲
部を挟む第１の領域および第２の領域を備え、第１の領域と第２の領域はそれぞれ表示部
および表示部に重なる位置情報入力部を備える。演算装置は演算部と、演算部に実行させ
る位置情報に基づいて画像情報を生成するプログラムを記憶する記憶部と、を含んで構成
される。
【００３０】
これにより、一方の領域から供給された位置情報に基づいて画像情報を生成し、他方の領
域に表示することができる。その結果、操作性に優れた新規なヒューマンインターフェイ
スを提供できる。または、操作性に優れた新規な情報処理装置を提供できる。または、新
規な情報処理装置や新規な表示装置などを提供できる。
【００３１】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００３２】
（実施の形態１）
本実施の形態では、本発明の一態様の情報処理装置の構成について、図１および図２を参
照しながら説明する。
【００３３】
図１は本発明の一態様の情報処理装置１００の構成を説明するブロック図である。
【００３４】
図２（Ａ）は本発明の一態様の情報処理装置１００の外観を説明する模式図であり、図２
（Ｂ）は図２（Ａ）に示す切断線Ｘ１−Ｘ２における断面の構造を説明する断面図である
。
【００３５】
図２（Ｃ−１）は情報処理装置１００に適用することができる位置情報入力部および表示
部の外観を説明する模式図である。
【００３６】
図２（Ｃ−２）は位置情報入力部に適用することができる近接センサ１４２の外観を説明
する模式図である。
【００３７】
図２（Ｄ）は図２（Ｃ−２）に示す切断線Ｘ３−Ｘ４における近接センサ１４２の断面の
構造を説明する断面図である。
【００３８】
＜情報処理装置の構成例＞
本実施の形態で説明する情報処理装置１００は、第１の画像情報Ｖ１と第２の画像情報Ｖ
２が供給され、第１の位置情報Ｌ１および第２の位置情報Ｌ２を供給する入出力装置１２
０と、第１の画像情報Ｖ１および第２の画像情報Ｖ２を供給し、第１の位置情報Ｌ１およ
び第２の位置情報Ｌ２が供給される演算装置１１０と、を有する（図１参照）。
【００３９】
入出力装置１２０は、屈曲部１２０（３）、屈曲部を挟む第１の領域１２０（１）および
第２の領域１２０（２）を備える（図２（Ａ）および図２（Ｂ）参照）。
【００４０】
第１の領域１２０（１）は、第１の表示部１３０（１）および第１の表示部１３０（１）
に重なる第１の位置情報入力部１４０（１）を備える（図２（Ｂ）および図２（Ｃ−１）
参照）。
【００４１】
第２の領域１２０（２）は、第２の表示部１３０（２）および第２の表示部１３０（２）
に重なる第２の位置情報入力部１４０（２）を備える。
【００４２】
第１の表示部１３０（１）は、第１の画像情報Ｖ１が供給され、第１の位置情報入力部１
４０（１）は、第１の位置情報Ｌ１を供給する（図１参照）。
【００４３】
第２の表示部１３０（２）は、第２の画像情報Ｖ２が供給され、第２の位置情報入力部１
４０（２）は、第２の位置情報Ｌ２を供給する。
【００４４】
演算装置１１０は、演算部１１１および演算部１１１に実行させるプログラムを記憶する
記憶部１１２を備える。そして、演算部１１１は、第１の位置情報Ｌ１または第２の位置
情報Ｌ２に基づいて、第１の画像情報Ｖ１または第２の画像情報Ｖ２を生成する。
【００４５】
本実施の形態で例示する情報処理装置１００は、画像情報が供給され位置情報を供給する
入出力装置１２０と画像情報を供給し位置情報を供給される演算装置１１０を有する。入
出力装置１２０は、屈曲部１２０（３）、屈曲部１２０（３）を挟む第１の領域１２０（
１）および第２の領域１２０（２）を備え、第１の領域１２０（１）と第２の領域１２０
（２）はそれぞれ表示部および表示部に重なる位置情報入力部を備える。演算装置１１０
は演算部１１１と、演算部１１１に実行させるプログラムを記憶する記憶部１１２と、を
含んで構成される。これにより、一方の領域から供給された位置情報に基づいて画像情報
を生成し、生成された画像を他方の領域に表示することができる。その結果、新規な情報
処理装置を提供できる。
【００４６】
また、入出力装置１２０は、情報を供給し供給される入出力部１４５と、情報処理装置１
００の外部の情報を検知し検知情報ＳＥＮＳを供給する検知部１５０と、通信情報ＣＯＭ
を供給し供給される通信部１６０と、を備えていてもよい。
【００４７】
また、演算装置１１０は、情報を供給し供給される伝送路１１４と、情報を供給し供給さ
れる入出力インターフェース１１５を有していてもよい。
【００４８】
以下に、情報処理装置を構成する個々の要素について説明する。なお、これらの構成は明
確に分離できず、一つの構成が他の構成を兼ねる場合や他の構成の一部を含む場合がある
。
【００４９】
例えば表示部にタッチセンサが重ねられたタッチパネルは、表示部１３０であるとともに
、位置情報入力部１４０でもある。
【００５０】
なお、本実施の形態では表示部１３０の表示面側に位置情報入力部１４０を重ねる構成を
例に説明するが、この構成に限られない。具体的には、位置情報入力部１４０の検知面側
に表示部１３０を重ねる構成であってもよいし、表示部１３０と位置情報入力部１４０が
一体の構造を有していてもよい。言い換えると、オン・セル型のタッチパネルであっても
イン・セル型のタッチパネルであってもよい。
【００５１】
《全体の構成》
情報処理装置１００は、入出力装置１２０と演算装置１１０を有する（図１参照）。
【００５２】
演算装置１１０は、演算部１１１および記憶部１１２を備える。
【００５３】
また、演算装置１１０は、伝送路１１４と、入出力インターフェース１１５を有していて
もよい。
【００５４】
《入出力装置》
入出力装置１２０は、表示部１３０と位置情報入力部１４０を備える。また、入出力装置
１２０はさまざまな情報が供給され、さまざまな情報を供給できる。
【００５５】
また、入出力装置１２０は、入出力部１４５と、検知部１５０と、通信部１６０と、を備
えていてもよい。
【００５６】
入出力装置１２０は、屈曲部１２０（３）、第１の領域１２０（１）および第２の領域１
２０（２）を備える（図２（Ａ）および図２（Ｂ）参照）。
【００５７】
なお、例えば、入出力装置１２０が第１の領域１２０（１）および第２の領域１２０（２
）を含む連続する曲面を有し、第１の領域１２０（１）と第２の領域１２０（２）が連続
する場合、屈曲部１２０（３）は、当該曲面の切断面に表れる曲率半径が最も小さくなる
部分を含む。また、第２の領域１２０（２）を二つ有する例を図２（Ｂ）に示すが、これ
に限られない。第２の領域１２０（２）を一つだけ備える構成、三つ以上備える構成も入
出力装置１２０に含まれる。
【００５８】
第１の領域１２０（１）は、第１の表示部１３０（１）および第１の位置情報入力部１４
０（１）を備える。
【００５９】
第２の領域１２０（２）は、第２の表示部１３０（２）および第２の位置情報入力部１４
０（２）を備える。また、屈曲部１２０（３）に表示部および当該表示部に重なる位置情
報入力部を設けてもよい。これにより、第２の位置情報Ｌ２に換えて屈曲部１２０（３）
が供給する位置情報を用いてもよい。
【００６０】
例えば、互いに対向するように２つの第２の領域１２０（２）を配置してもよい（図２（
Ｂ）参照）。２つの第２の領域１２０（２）が離間する距離を、例えば１７ｃｍ以下、好
ましくは９ｃｍ以下、より好ましくは７ｃｍ以下とする。離間する距離が短いと、把持す
る手の拇指を用いて第１の位置情報入力部１４０（１）の広い範囲の位置情報を特定また
は供給することができる。
【００６１】
《位置情報入力部》
位置情報入力部１４０は、近接するものを検知して近接するものの位置情報を演算装置１
１０に供給する。なお、位置情報入力部１４０が透光性を有する場合は、表示部１３０よ
り使用者側に位置情報入力部１４０を配置することができる。
【００６２】
例えば、情報処理装置１００の使用者は指や掌等を位置情報入力部１４０に近接させるこ
とにより、様々な操作命令を情報処理装置１００に供給することができる。例えば、終了
命令（プログラムを終了する命令）を含む操作命令を供給することができる。
【００６３】
例えば、近接センサ１４２をマトリクス状に可撓性の基板１４１に配置して、位置情報入
力部１４０を構成してもよい（図２（Ｃ−１）、図２（Ｃ−２）および図２（Ｄ）参照）
。
【００６４】
位置情報入力部１４０は、第１の位置情報入力部１４０（１）と第２の位置情報入力部１
４０（２）を備える。
【００６５】
第１の位置情報入力部１４０（１）は、第１の位置情報Ｌ１を供給し、第２の位置情報入
力部１４０（２）は、第２の位置情報Ｌ２を供給する。
【００６６】
第１の位置情報入力部１４０（１）と第２の位置情報入力部１４０（２）を、一体の位置
情報入力部として駆動してもよい。
【００６７】
位置情報入力部１４０を第１の位置情報入力部１４０（１）と第２の位置情報入力部１４
０（２）に分割し、それぞれを独立して駆動してもよい。
【００６８】
Ｘ１−Ｘ２方向を行方向とし、行方向と交差する方向を列方向とする。行方向に延在する
複数の走査線と、列方向に延在する複数の信号線と、一の走査線に電気的に接続される電
極と一の信号線に電気的に接続される電極とで構成される近接センサ１４２が、位置情報
入力部１４０にマトリクス状に配設されている。なお、複数の走査線は第１の位置情報入
力部１４０（１）および第２の位置情報入力部１４０（２）を横切る。
【００６９】
第１の位置情報入力部１４０（１）に配設される信号線に電気的に接続される電極を備え
る近接センサと、第２の位置情報入力部１４０（２）に配設される信号線に電気的に接続
される電極を備える近接センサとを、それぞれ独立して駆動して、位置情報入力部１４０
を分割して駆動してもよい。
【００７０】
具体的には、第１の位置情報入力部１４０（１）のみ使用する場合は、そこに配設される
近接センサのみを駆動する。
【００７１】
また、第２の位置情報入力部１４０（２）のみ使用する場合は、そこに配設される近接セ
ンサのみを駆動する。
【００７２】
なお、第１の位置情報入力部１４０（１）および第２の位置情報入力部１４０（２）を横
切って配設される走査線は、近接センサを駆動するための信号を第１の位置情報入力部１
４０（１）と第２の位置情報入力部１４０（２）に同一のタイミングで供給する。従って
、第１の位置情報入力部１４０（１）に配設される近接センサと、第２の位置情報入力部
１４０（２）に配設される近接センサと、を独立して駆動する場合は、第１の位置情報入
力部１４０（１）に配設される近接センサを駆動するための信号と、第２の位置情報入力
部１４０（２）に配設される近接センサを駆動するための信号と、を異なる時間に供給す
る必要がある。
【００７３】
例えば、情報処理装置１００の筐体１０１を手で把持して使用する場合において、第２の
位置情報入力部の駆動を停止して、第１の位置情報入力部１４０（１）のみを駆動しても
よい。第２の位置情報入力部１４０（２）部の駆動を停止することにより、情報処理装置
１００を把持する手を検知した第２の位置情報入力部１４０（２）部が供給する第２の位
置情報Ｌ２に基づく誤動作の発生を低減することができる。
【００７４】
例えば、第１の位置情報入力部１４０（１）が消費する電力および第２の位置情報入力部
１４０（２）が消費する電力の合計が、第１の位置情報入力部１４０（１）のみが消費す
る電力より大きい場合、第１の位置情報入力部１４０（１）のみを駆動して、第２の位置
情報入力部の駆動を停止してもよい。具体的には、情報処理装置１００の待機状態におい
て、第２の位置情報入力部１４０（２）部の駆動を停止することにより、消費電力を低減
することができる。
【００７５】
近接センサ１４２は、近接センサ１４２に近接または接触するもの（例えば指や掌）を検
知することができるセンサであればよく、例えば容量素子や撮像素子を適用できる。なお
、容量素子をマトリクス状に有する基板を容量式のタッチセンサということができ、撮像
素子を有する基板を光学式のタッチセンサということができる（図２（Ｃ−２）および図
２（Ｄ）参照）。
【００７６】
可撓性の基板１４１としては、可撓性を有する程度の厚さの樹脂が適用できる。樹脂とし
ては、例えばポリエステル、ポリオレフィン、ポリアミド（ナイロン、アラミド等）、ポ
リイミド、ポリカーボネート若しくはアクリル樹脂等を挙げることができる。
【００７７】
また、可撓性を有さないような通常の基板を用いることができる。例えば、ガラス基板、
石英基板、半導体基板などを用いることが出来る。
【００７８】
なお、位置情報入力部１４０に適用可能な具体的な構成例を、実施の形態５、実施の形態
６および実施の形態７に記載して説明する。
【００７９】
《表示部》
表示部１３０は供給される画像情報を表示できるものであれば、特に限定されない（図２
（Ｃ−１）参照）。
【００８０】
表示部１３０は、第１の表示部１３０（１）と第２の表示部１３０（２）を備える。
【００８１】
第１の表示部１３０（１）は、供給される第１の画像情報Ｖ１を表示し、第２の表示部１
３０（２）は、供給される第２の画像情報Ｖ２を表示する。
【００８２】
第１の表示部１３０（１）と第２の表示部１３０（２）を、一体の表示部として駆動して
もよい。
【００８３】
第１の表示部１３０（１）と第２の表示部１３０（２）を、異なる表示部として駆動して
もよい。
【００８４】
例えば、情報処理装置１００の待機状態において、第２の表示部１３０（２）のみを駆動
して、第１の表示部１３０（１）の駆動を停止してもよい。第１の表示部１３０（１）の
駆動を停止することにより、消費電力を低減することができる。
【００８５】
なお、表示部１３０に適用可能な具体的な構成例を、実施の形態５、実施の形態６および
実施の形態７に記載して説明する。
【００８６】
《検知部》
検知部１５０は、情報処理装置１００およびその周囲の状態を検知して検知情報ＳＥＮＳ
を供給する（図１参照）。
【００８７】
検知部１５０は、例えば加速度、方位、圧力、ＧＰＳ（Ｇｌｏｂａｌ  ｐｏｓｉｔｉｏｎ
ｉｎｇ  Ｓｙｓｔｅｍ）信号、温度または湿度等を検知して、その情報を供給してもよい
。
【００８８】
《通信部》
通信部１６０は、演算装置１１０が供給する情報ＣＯＭを情報処理装置１００の外部の機
器または通信網に供給する。また、情報ＣＯＭを外部の機器または通信網から取得して供
給する。
【００８９】
情報ＣＯＭは、音声情報、画像情報等の他、様々な命令等を含むことができる。例えば、
第１の画像情報Ｖ１、第２の画像情報Ｖ２を演算部１１１に生成または消去等させる操作
命令を含むことができる。
【００９０】
外部の機器または通信網に接続するための通信手段、例えばハブ、ルータまたはモデム等
を通信部１６０に適用できる。なお、接続方法は有線による方法に限らず、無線（例えば
電波または赤外線等）をもちいてもよい。
【００９１】
《入出力部》
例えばカメラ、マイク、読み取り専用の外部記憶部、外部記憶部、スキャナー、スピーカ
、プリンタ等を入出力部１４５に用いることができる（図１参照）。
【００９２】
具体的には、デジタルカメラおよびデジタルビデオカメラ等をカメラに用いることができ
る。
【００９３】
ハードディスクまたはリムーバブルメモリなどを外部記憶部に用いることができる。また
、ＣＤＲＯＭ、ＤＶＤＲＯＭ等を読み取り専用の外部記憶部に用いることができる。
【００９４】
《演算装置》
演算装置１１０は、演算部１１１、記憶部１１２、入出力インターフェース１１５および
伝送路１１４を備える（図１参照）。
【００９５】
演算装置１１０は、第１の位置情報Ｌ１および第２の位置情報Ｌ２が供給され、第１の画
像情報Ｖ１および第２の画像情報Ｖ２を供給する。
【００９６】
例えば、演算装置１１０は、情報処理装置１００の操作の用に供する画像を含む第１の画
像情報Ｖ１および第２の画像情報Ｖ２を供給する。
【００９７】
なお、第２の画像情報Ｖ２は第２の表示部１３０（２）に表示される。また、第２の表示
部１３０（２）に表示された操作の用に供する画像と重なる第２の位置情報入力部１４０
（２）を指等で触れることにより、使用者は当該画像に関連付けられた操作命令を演算装
置１１０に供給できる。
【００９８】
《演算部》
演算部１１１は、記憶部１１２が記憶するプログラムを実行する。例えば、操作の用に供
する画像を表示した位置に関連付けられた位置情報が供給された場合に、演算部１１１は
当該画像にあらかじめ関連付けられたプログラムを実行する。
【００９９】
《記憶部》
記憶部１１２は、演算部１１１に実行させるプログラムを記憶する。
【０１００】
なお、実施の形態２乃至実施の形態４に演算装置１１０の演算部１１１に実行させるプロ
グラムの一例を記載して説明する。
【０１０１】
《入出力インターフェース・伝送路》
入出力インターフェース１１５は情報を供給し、情報が供給される。
【０１０２】
伝送路１１４は情報を供給することができ、演算部１１１、記憶部１１２および入出力イ
ンターフェース１１５は情報を供給される。また、演算部１１１、記憶部１１２および入
出力インターフェース１１５は、情報を供給することができ、伝送路１１４は情報を供給
される。
【０１０３】
また、情報処理装置１００は、演算装置１１０と、入出力装置１２０と、筐体１０１と、
を有する（図２（Ｂ）参照）。
【０１０４】
《筐体》
筐体１０１は演算装置１１０等を外部から加わる応力から保護する。
【０１０５】
金属、プラスチック、ガラスまたはセラミックス等を筐体１０１に用いることができる。
【０１０６】
なお、本実施の形態は、本明細書で示す他の実施の形態と適宜組み合わせることができる
。
【０１０７】
（実施の形態２）
本実施の形態では、本発明の一態様の情報処理装置の構成について、図３を参照しながら
説明する。
【０１０８】
図３（Ａ）および図３（Ｂ）は実施の形態１で説明する本発明の一態様の情報処理装置の
演算部１１１に実行させるプログラムを説明するフロー図である。
【０１０９】
＜情報処理装置の構成例．＞
本実施の形態で説明する情報処理装置は、以下のステップを備えるプログラムを記憶する
記憶部１１２を備える。
【０１１０】
第１のステップにおいて、第１の画像情報Ｖ１を生成する（図３（Ａ）（Ｓ１））。なお
、所定の画像または他の処理で生成した画像情報を用いることができる。
【０１１１】
第２のステップにおいて、割り込み処理を許可する（図３（Ａ）（Ｓ２））。なお、割り
込み処理が許可された演算部１１１は、割り込み処理についての実行命令を受けつけるこ
とができる。そして、割り込み処理についての実行命令を受けつけた演算部１１１は、主
の処理を中断し、割り込み処理を実行する。例えば、割り込み処理についての実行命令に
関連付けられたイベントを供給された演算部１１１は、割り込み処理を実行し、実行結果
を記憶部に格納する。その後、割り込み処理から主の処理に復帰した演算部１１１は、主
の処理を、割り込み処理の実行結果に基づいて再開することができる。
【０１１２】
第３のステップにおいて、第１の画像情報Ｖ１を表示する（図３（Ａ）（Ｓ３））。
【０１１３】
第４のステップにおいて、終了命令が割り込み処理において供給された場合は第５のステ
ップに進み、供給されなかった場合は第３のステップに進む（図３（Ａ）（Ｓ４））。
【０１１４】
第５のステップにおいて、終了する（図３（Ａ）（Ｓ５））。
【０１１５】
また、割り込み処理は以下のステップを具備する。
【０１１６】
第６のステップにおいて、第２の位置情報入力部１４０（２）から命令が供給された場合
は、第７のステップに進み、供給されない場合は第８のステップに進む（図３（Ｂ）（Ｔ
６））。
【０１１７】
例えば、第２の位置情報入力部１４０（２）が第２の領域１２０（２）に触れた情報処理
装置の使用者の指の位置を検知し、第２の位置情報Ｌ２を供給する。演算部１１１は第２
の位置情報Ｌ２が描く軌跡を解析し、情報処理装置の使用者が指をポインタに用いて供給
した様々なジェスチャー（タップ、ドラッグ、スワイプ、ピンチインまたはピンチアウト
等）を識別することができる（例えば図３（Ｃ）を参照）。
【０１１８】
具体的には、複数の画像から一の画像を順番に選択して表示する命令を、タップ等に関連
付けることができる。
【０１１９】
または、帯状に長い画像を移動するスクロール命令を、ドラッグまたはスワイプ等に関連
付けることができる。
【０１２０】
または、画像の大きさを変化して表示する命令をピンチイン、ピンチアウト等に関連付け
ることができる。
【０１２１】
第７のステップにおいて、第１の画像情報Ｖ１を命令に基づいて生成する（図３（Ｂ）（
Ｔ７））。
【０１２２】
第８のステップにおいて、割り込み処理から復帰する（図３（Ｂ）（Ｔ８））。
【０１２３】
本実施の形態で説明する情報処理装置１００は、第１の画像情報Ｖ１を第２の位置情報Ｌ
２に基づいて生成するステップを含んで構成される。これにより、第２の位置情報入力部
を用いて第１の領域に表示する画像情報を決定することができる。その結果、新規な情報
処理装置を提供できる。
【０１２４】
＜情報処理装置の変形例＞
本発明の一態様の情報処理装置の別の構成について、図４を参照しながら説明する。
【０１２５】
図４（Ａ）は図３（Ｂ）を用いて説明するプログラムの割り込み処理の変形例を説明する
フロー図である。
【０１２６】
本実施の形態で説明する情報処理装置は、以下のステップを備えるプログラムを記憶する
記憶部１１２を備える。
【０１２７】
本実施の形態の変形例で説明する情報処理装置１００は、第６のステップにおいて、第２
の位置情報入力部１４０（２）から終了命令が供給された場合に第８のステップに進むス
テップを、第６のステップの後に備える点が、図３（Ｂ）を参照しながら説明する情報処
理装置１００とは異なる。ここでは異なる構成について詳細に説明し、同様の構成を用い
ることができる部分は、上記の説明を援用する。
【０１２８】
なお、本明細書では、処理中のプログラムを終了する命令、情報処理装置の電源に電源電
位の供給を終了させる命令、電源電位の供給を終了させる前にする一連の処理と終了命令
を含むプログラムの開始命令等を終了命令という。
【０１２９】
本実施の形態で説明する情報処理装置は、以下のステップを備える割り込み処理のプログ
ラムを記憶する記憶部１１２を備える。
【０１３０】
第６のステップにおいて、第２の位置情報入力部１４０（２）から命令が供給された場合
は、第６．１のステップに進み、供給されない場合は第８のステップに進む（図４（Ａ）
（Ｔ６））。
【０１３１】
第６．１のステップにおいて、第２の位置情報入力部１４０（２）から終了命令と関連付
けられた位置情報が供給された場合に第８のステップに進み、供給されなかった場合は第
７のステップに進む（図４（Ａ）（Ｔ６．１））。
【０１３２】
例えば、第２の位置情報入力部１４０（２）が第２の領域１２０（２）に触れた情報処理
装置の使用者の指の位置を検知し、第２の位置情報Ｌ２を供給する。演算部１１１は第２
の位置情報Ｌ２が描く軌跡を解析し、情報処理装置の使用者が指をポインタに用いて供給
した様々なジェスチャー（タップ、ドラッグ、スワイプ、ピンチインまたはピンチアウト
等）を識別することができる。
【０１３３】
具体的には、終了命令を第２の位置情報入力部１４０（２）所定の二か所を所定の時間よ
り長い期間触れ続けるジェスチャーに関連付けることができる。
【０１３４】
第７のステップにおいて、第１の画像情報Ｖ１を命令に基づいて生成する（図４（Ａ）（
Ｔ７））。
【０１３５】
第８のステップにおいて、割り込み処理から復帰する（図４（Ａ）（Ｔ８））。
【０１３６】
本実施の形態で説明する情報処理装置は、第２の位置情報入力部１４０（２）が供給する
位置情報Ｌ２が終了命令に関連付けられている場合に、割り込み処理から復帰して、終了
命令を供給するステップを含んで構成される。これにより、第２の領域を用いて終了命令
を供給することができる。その結果、新規な情報処理装置を提供できる（例えば図４（Ｂ
）を参照）。
【０１３７】
なお、本実施の形態は、本明細書で示す他の実施の形態と適宜組み合わせることができる
。
【０１３８】
（実施の形態３）
本実施の形態では、本発明の一態様の情報処理装置の構成について、図５および図６を参
照しながら説明する。
【０１３９】
図５（Ａ）は実施の形態１で説明する本発明の一態様の情報処理装置の演算部１１１に実
行させるプログラムを説明するフロー図である。
【０１４０】
図６は図５（Ａ）を用いて説明するプログラムの割り込み処理を説明するフロー図である
。
【０１４１】
＜情報処理装置の構成例．＞
本実施の形態で説明する情報処理装置は、以下のステップを備えるプログラムを記憶する
記憶部１１２を備える。
【０１４２】
第１のステップにおいて、ステータス情報を含む初期情報を取得する（図５（Ａ）（Ｕ１
））。
【０１４３】
ステータス情報は、情報処理装置の動作を決定する標識である。情報処理装置は、ステー
タス情報に基づいて、所定の動作をする。
【０１４４】
例えば、ステータス情報が第１のステータスである場合において、演算部１１１は第１の
画像情報Ｖ１を生成し、第１の画像情報Ｖ１を第１の表示部１３０（１）に表示する。
【０１４５】
また、ステータス情報が第２のステータスである場合において、演算部１１１は第２の画
像情報Ｖ２を生成し、第２の画像情報Ｖ２を第２の表示部１３０（２）に表示する。
【０１４６】
第２のステップにおいて、割り込み処理を許可する（図５（Ａ）（Ｕ２））。
【０１４７】
第３のステップにおいて、所定の情報を取得する（図５（Ａ）（Ｕ３））。
【０１４８】
例えば、表示部に表示する情報を取得する。
【０１４９】
第４のステップにおいて、ステータス情報が第１のステータスの場合は、第５のステップ
に進み、第２のステータスの場合は第６のステップに進む（図５（Ａ）（Ｕ４））。
【０１５０】
例えば、第１の表示部１３０（１）の大きさと第２の表示部１３０（２）の大きさが異な
る場合、第１の表示部１３０（１）に好適な情報の配置は、必ずしも第２の表示部１３０
（２）に好適な情報の配置ではない場合がある。このような場合、ステータス情報に基づ
いて、情報を表示する表示部を変えるだけでなく、表示部に好適に表示されるように情報
が配置された画像情報を生成してもよい。
【０１５１】
具体的には、第１の表示部１３０（１）は第２の表示部１３０（２）より広い面積を有す
るため、複数の行を含む文章を一度に表示できる（例えば図５（Ｂ）を参照）。
【０１５２】
一方、細長い形態の第２の表示部１３０（２）は、複数の行から順番に一行ずつ選んで表
示する方法、または流れるように文字を表示する方法が好ましい。これにより、取得した
所定の情報を適切な大きさの文字を用いて表示することができる（例えば図５（Ｃ）を参
照）。
【０１５３】
第５のステップにおいて、取得した情報に基づいて第１の画像情報Ｖ１を生成し、第１の
画像情報Ｖ１を第１の表示部１３０（１）に表示する（図５（Ａ）（Ｕ５））。
【０１５４】
第６のステップにおいて、取得した情報に基づいて第２の画像情報Ｖ２を生成し、第２の
画像情報Ｖ２を第２の表示部１３０（２）に表示する（図５（Ａ）（Ｕ６））。
【０１５５】
第７のステップにおいて、終了命令が割り込み処理において供給された場合は第８のステ
ップに進み、供給されなかった場合は第３のステップに進む（図５（Ａ）（Ｕ７））。
【０１５６】
第８のステップにおいて、終了する（図５（Ａ）（Ｕ８））。
【０１５７】
また、割り込み処理は以下のステップを具備する。
【０１５８】
第９のステップにおいて、ステータス情報を設定する命令が供給された場合は第１０のス
テップに進み、供給されなかった場合は第１１のステップに進む（図６（Ｖ９））。
【０１５９】
使用者は、情報処理装置の動作を決定するステータス情報を適宜選択して設定できる。こ
れにより、使用者は便利に情報処理装置を使用することができる。
【０１６０】
具体的には、使用者が取得した情報を第１の表示部のみに表示する方法を望む場合、ステ
ータス情報を第１のステータス情報に設定する命令を供給する。
【０１６１】
または、使用者が取得した情報を第２の表示部のみに表示する方法を望む場合、ステータ
ス情報を第２のステータス情報に設定する命令を供給する。
【０１６２】
第１０のステップにおいて、供給された命令に基づいてステータス情報を更新する（図６
（Ｖ１０））。
【０１６３】
第１１のステップにおいて、割り込み処理から復帰する（図６（Ｖ１１））。
【０１６４】
本実施の形態で説明する情報処理装置は、所定の情報を取得するステップと、ステータス
情報を設定するステップと、設定されたステータス情報に基づいて取得した所定の情報を
含む画像情報を生成し、表示部に表示するステップと、を含んで構成される。これにより
、所定の情報を含む画像をステータス情報に基づいて設定される領域に表示することがで
きる。その結果、新規な情報処理装置を提供できる。
【０１６５】
なお、本実施の形態は、本明細書で示す他の実施の形態と適宜組み合わせることができる
。
【０１６６】
（実施の形態４）
本実施の形態では、本発明の一態様の情報処理装置の構成について、図７および図８を参
照しながら説明する。
【０１６７】
図７（Ａ）は実施の形態１で説明する本発明の一態様の情報処理装置の演算部１１１に実
行させるプログラムを説明するフロー図である。
【０１６８】
図８は図７を用いて説明するプログラムの割り込み処理を説明するフロー図である。
【０１６９】
＜情報処理装置の構成例．＞
本実施の形態で説明する情報処理装置は、以下のステップを備えるプログラムを記憶する
記憶部１１２を備える。
【０１７０】
第１のステップにおいて、割り込み処理を許可する（図７（Ａ）（Ｗ１））。
【０１７１】
第２のステップにおいて、着信があった場合は第３のステップに進み、着信がない場合は
第５のステップに進む（図７（Ａ）（Ｗ２））。
【０１７２】
例えば、通信網との間で情報を通信する通信部１６０を有する情報処理装置は、通信網か
ら電子メールを受信できる。通信部に加えて、音声情報の出力および入力をすることがで
きる入出力部１４５を備える情報処理装置は、電話を着信できる。
【０１７３】
第３のステップにおいて、発信人に関する情報を取得する（図７（Ａ）（Ｗ３））。
【０１７４】
発信者のメールアドレスや電話番号を用いて、記憶部１１２に記憶されたアドレス帳を検
索し、発信人に関する情報を取得することができる。
【０１７５】
第４のステップにおいて、発信人に関する情報を含む第２の画像情報を生成し、第２の画
像情報を表示する（図７（Ａ）（Ｗ４））。
【０１７６】
第５のステップにおいて、割り込み処理において、終了命令が供給された場合は第６のス
テップに進み、供給されなかった場合は第２のステップに進む（図７（Ａ）（Ｗ５））。
【０１７７】
第６のステップにおいて、終了する（図７（Ａ）（Ｗ６））。
【０１７８】
また、割り込み処理は以下のステップを具備する。
【０１７９】
第７のステップにおいて、着信に応答する場合は第８のステップに、着信に応答しない場
合は第９のステップに進む（図８（Ｘ７））。
【０１８０】
第８のステップにおいて、着信に応答する（図８（Ｘ８））。
【０１８１】
例えば、着信に応答する命令を入出力部１４５が備えるスイッチ等または位置情報入力部
１４０から所定のジェスチャーを用いて供給することができる。
【０１８２】
具体的には、電子メールの閲覧および作成をすることができるアプリケーションを開始し
て、受信した電子メールを閲覧する。または、電話のアプリケーションを開始して、通話
を開始する。
【０１８３】
第９のステップにおいて、第２の画像情報の表示を停止する（図８（Ｘ９））。
【０１８４】
例えば、着信を拒否する命令を入出力部１４５が備えるスイッチ等または位置情報入力部
１４０から所定のジェスチャーを用いて供給することができる。
【０１８５】
第１０のステップにおいて、割り込み処理から復帰する（図８（Ｘ１０））。
【０１８６】
本発明の一態様の情報処理装置は、待ち受け状態において着信があった電話番号および当
該電話番号に関連付けられた情報を第２の表示部に表示するステップを含んで構成される
（例えば図７（Ｂ）を参照）。これにより、着信した電話番号とそれに関連付けられた情
報を表示することができる。その結果、新規な情報処理装置を提供できる。
【０１８７】
なお、本実施の形態は、本明細書で示す他の実施の形態と適宜組み合わせることができる
。
【０１８８】
（実施の形態５）
本実施の形態では、本発明の一態様の情報処理装置の表示部１３０および位置情報入力部
１４０に適用することができる折り曲げ可能なタッチパネルの構成について、図９を参照
しながら説明する。
【０１８９】
図９（Ａ）は本発明の一態様の情報処理装置に適用可能なタッチパネルの構造を説明する
上面図である。
【０１９０】
図９（Ｂ）は図９（Ａ）の切断線Ａ−Ｂおよび切断線Ｃ−Ｄにおける断面図である。
【０１９１】
図９（Ｃ）は図９（Ａ）の切断線Ｅ−Ｆにおける断面図である。
【０１９２】
＜上面図の説明＞
本実施の形態で例示するタッチパネル３００は表示部３０１を有する（図９（Ａ）参照）
。
【０１９３】
表示部３０１は、複数の画素３０２と複数の撮像画素３０８を備える。撮像画素３０８は
表示部３０１に触れる指等を検知することができる。これにより、撮像画素３０８を用い
てタッチセンサを構成することができる。
【０１９４】
画素３０２は、複数の副画素（例えば副画素３０２Ｒ）を備え、副画素は発光素子および
発光素子を駆動する電力を供給することができる画素回路を備える。
【０１９５】
画素回路は、選択信号を供給することができる配線および画像信号を供給することができ
る配線と、電気的に接続される。
【０１９６】
また、タッチパネル３００は選択信号を画素３０２に供給することができる走査線駆動回
路３０３ｇ（１）と、画像信号を画素３０２に供給することができる画像信号線駆動回路
３０３ｓ（１）を備える。
【０１９７】
撮像画素３０８は、光電変換素子および光電変換素子を駆動する撮像画素回路を備える。
【０１９８】
撮像画素回路は、制御信号を供給することができる配線および電源電位を供給することが
できる配線と電気的に接続される。
【０１９９】
制御信号としては、例えば記録された撮像信号を読み出す撮像画素回路を選択することが
できる信号、撮像画素回路を初期化することができる信号、および撮像画素回路が光を検
知する時間を決定することができる信号などを挙げることができる。
【０２００】
タッチパネル３００は制御信号を撮像画素３０８に供給することができる撮像画素駆動回
路３０３ｇ（２）と、撮像信号を読み出す撮像信号線駆動回路３０３ｓ（２）を備える。
【０２０１】
＜断面図の説明＞
タッチパネル３００は、基板３１０および基板３１０に対向する対向基板３７０を有する
（図９（Ｂ）参照）。
【０２０２】
基板３１０は、可撓性を有する基板３１０ｂ、意図しない不純物の発光素子への拡散を防
ぐバリア膜３１０ａおよび基板３１０ｂとバリア膜３１０ａを貼り合わせる樹脂層３１０
ｃが積層された積層体である。
【０２０３】
対向基板３７０は、可撓性を有する基板３７０ｂ、意図しない不純物の発光素子への拡散
を防ぐバリア膜３７０ａおよび基板３７０ｂとバリア膜３７０ａを貼り合わせる樹脂層３
７０ｃの積層体である（図９（Ｂ）参照）。
【０２０４】
封止材３６０は対向基板３７０と基板３１０を貼り合わせている。また、封止材３６０は
空気より大きい屈折率を備え、光学的に接合する機能を有する層を兼ねる。画素回路およ
び発光素子（例えば第１の発光素子３５０Ｒ）は基板３１０と対向基板３７０の間にある
。
【０２０５】
《画素の構成》
画素３０２は、副画素３０２Ｒ、副画素３０２Ｇおよび副画素３０２Ｂを有する（図９（
Ｃ）参照）。また、副画素３０２Ｒは発光モジュール３８０Ｒを備え、副画素３０２Ｇは
発光モジュール３８０Ｇを備え、副画素３０２Ｂは発光モジュール３８０Ｂを備える。
【０２０６】
例えば副画素３０２Ｒは、第１の発光素子３５０Ｒおよび第１の発光素子３５０Ｒに電力
を供給することができるトランジスタ３０２ｔを含む画素回路を備える（図９（Ｂ）参照
）。また、発光モジュール３８０Ｒは第１の発光素子３５０Ｒおよび光学素子（例えば第
１の着色層３６７Ｒ）を備える。
【０２０７】
第１の発光素子３５０Ｒは、第１の下部電極３５１Ｒ、上部電極３５２、第１の下部電極
３５１Ｒと上部電極３５２の間に発光性の有機化合物を含む層３５３を有する（図９（Ｃ
）参照）。
【０２０８】
発光性の有機化合物を含む層３５３は、発光ユニット３５３ａ、発光ユニット３５３ｂお
よび発光ユニット３５３ａと発光ユニット３５３ｂの間に中間層３５４を備える。
【０２０９】
発光モジュール３８０Ｒは、第１の着色層３６７Ｒを対向基板３７０に有する。着色層は
特定の波長を有する光を透過するものであればよく、例えば赤色、緑色または青色等を呈
する光を選択的に透過するものを用いることができる。または、発光素子の発する光をそ
のまま透過する領域を設けてもよい。
【０２１０】
例えば、発光モジュール３８０Ｒは、第１の発光素子３５０Ｒと第１の着色層３６７Ｒに
接する封止材３６０を有する。
【０２１１】
第１の着色層３６７Ｒは第１の発光素子３５０Ｒと重なる位置にある。これにより、第１
の発光素子３５０Ｒが発する光の一部は、光学的に接合する機能を有する層を兼ねる封止
材３６０および第１の着色層３６７Ｒを透過して、図中の矢印に示すように発光モジュー
ル３８０Ｒの外部に射出される。
【０２１２】
《表示パネルの構成》
タッチパネル３００は、遮光層３６７ＢＭを対向基板３７０に有する。遮光層３６７ＢＭ
は、着色層（例えば第１の着色層３６７Ｒ）を囲むように設けられている。
【０２１３】
タッチパネル３００は、反射防止層３６７ｐを表示部３０１に重なる位置に備える。反射
防止層３６７ｐとして、例えば円偏光板を用いることができる。
【０２１４】
タッチパネル３００は、絶縁膜３２１を備える。絶縁膜３２１はトランジスタ３０２ｔを
覆っている。なお、絶縁膜３２１は画素回路に起因する凹凸を平坦化するための層として
用いることができる。また、不純物のトランジスタ３０２ｔ等への拡散を抑制することが
できる層が積層された絶縁膜を、絶縁膜３２１に適用することができる。
【０２１５】
タッチパネル３００は、発光素子（例えば第１の発光素子３５０Ｒ）を絶縁膜３２１上に
有する。
【０２１６】
タッチパネル３００は、第１の下部電極３５１Ｒの端部に重なる隔壁３２８を絶縁膜３２
１上に有する（図９（Ｃ）参照）。また、基板３１０と対向基板３７０の間隔を制御する
スペーサ３２９を、隔壁３２８上に有する。
【０２１７】
《画像信号線駆動回路の構成》
画像信号線駆動回路３０３ｓ（１）は、トランジスタ３０３ｔおよび容量３０３ｃを含む
。なお、駆動回路は画素回路と同一の工程で同一基板上に形成することができる。
【０２１８】
《撮像画素の構成》
撮像画素３０８は、光電変換素子３０８ｐおよび光電変換素子３０８ｐに照射された光を
検知するための撮像画素回路を備える。また、撮像画素回路は、トランジスタ３０８ｔを
含む。
【０２１９】
例えばｐｉｎ型のフォトダイオードを光電変換素子３０８ｐに用いることができる。
【０２２０】
《他の構成》
タッチパネル３００は、信号を供給することができる配線３１１を備え、端子３１９が配
線３１１に設けられている。なお、画像信号および同期信号等の信号を供給することがで
きるＦＰＣ３０９（１）が端子３１９に電気的に接続されている。
【０２２１】
なお、ＦＰＣ３０９（１）にはプリント配線基板（ＰＷＢ）が取り付けられていても良い
。
【０２２２】
同一の工程で形成されたトランジスタを、トランジスタ３０２ｔ、トランジスタ３０３ｔ
、トランジスタ３０８ｔ等のトランジスタに適用できる。
【０２２３】
ボトムゲート型、トップゲート型等の構造を有するトランジスタを適用できる。
【０２２４】
様々な半導体をトランジスタに適用できる。例えば、酸化物半導体、単結晶シリコン、ポ
リシリコンまたはアモルファスシリコンなどを適用できる。
【０２２５】
なお、本実施の形態は、本明細書で示す他の実施の形態と適宜組み合わせることができる
。
【０２２６】
（実施の形態６）
本実施の形態では、本発明の一態様の情報処理装置に適用することができる折り曲げ可能
なタッチパネルの構成について、図１０及び図１１を参照しながら説明する。
【０２２７】
図１０（Ａ）は、本実施の形態で例示するタッチパネル５００の斜視図である。なお明瞭
化のため、代表的な構成要素のみを図１０に示す。図１０（Ｂ）は、タッチパネル５００
の斜視図である。
【０２２８】
図１１（Ａ）は、図１０（Ａ）に示すタッチパネル５００のＸ１−Ｘ２における断面図で
ある。
【０２２９】
タッチパネル５００は、表示部５０１とタッチセンサ５９５を備える（図１０（Ｂ）参照
）。また、タッチパネル５００は、基板５１０、基板５７０および基板５９０を有する。
なお、基板５１０、基板５７０および基板５９０はいずれも可撓性を有する。
【０２３０】
表示部５０１は、基板５１０、基板５１０上に複数の画素および当該画素に信号を供給す
ることができる複数の配線５１１を備える。複数の配線５１１は、基板５１０の外周部に
まで引き回され、その一部が端子５１９を構成している。端子５１９はＦＰＣ５０９（１
）と電気的に接続する。
【０２３１】
＜タッチセンサ＞
基板５９０には、タッチセンサ５９５と、タッチセンサ５９５と電気的に接続する複数の
配線５９８を備える。複数の配線５９８は基板５９０の外周部に引き回され、その一部は
端子を構成する。そして、当該端子はＦＰＣ５０９（２）と電気的に接続される。なお、
図１０（Ｂ）では明瞭化のため、基板５９０の裏面側（紙面奥側）に設けられるタッチセ
ンサ５９５の電極や配線等を実線で示している。
【０２３２】
タッチセンサ５９５として、例えば静電容量方式のタッチセンサを適用できる。静電容量
方式としては、表面型静電容量方式、投影型静電容量方式等がある。
【０２３３】
投影型静電容量方式としては、主に駆動方式の違いから自己容量方式、相互容量方式など
がある。相互容量方式を用いると同時多点検出が可能となるため好ましい。
【０２３４】
以下では、投影型静電容量方式のタッチセンサを適用する場合について、図１０（Ｂ）を
用いて説明する。
【０２３５】
なお、指等の検知対象の近接または接触を検知することができるさまざまなセンサを適用
することができる。
【０２３６】
投影型静電容量方式のタッチセンサ５９５は、電極５９１と電極５９２を有する。電極５
９１は複数の配線５９８のいずれかと電気的に接続し、電極５９２は複数の配線５９８の
他のいずれかと電気的に接続する。
【０２３７】
電極５９２は、図１０（Ａ）、（Ｂ）に示すように、一方向に繰り返し配置された複数の
四辺形が角部で接続された形状を有する。
【０２３８】
電極５９１は四辺形であり、電極５９２が延在する方向と交差する方向に繰り返し配置さ
れている。
【０２３９】
配線５９４は、電極５９２を挟む二つの電極５９１を電気的に接続する。このとき、電極
５９２と配線５９４の交差部の面積ができるだけ小さくなる形状が好ましい。これにより
、電極が設けられていない領域の面積を低減でき、透過率のムラを低減できる。その結果
、タッチセンサ５９５を透過する光の輝度ムラを低減することができる。
【０２４０】
なお、電極５９１、電極５９２の形状はこれに限られず、様々な形状を取りうる。例えば
、複数の電極５９１をできるだけ隙間が生じないように配置し、絶縁層を介して電極５９
２を、電極５９１と重ならない領域ができるように離間して複数設ける構成としてもよい
。このとき、隣接する２つの電極５９２の間に、これらとは電気的に絶縁されたダミー電
極を設けると、透過率の異なる領域の面積を低減できるため好ましい。
【０２４１】
タッチセンサ５９５の構成を、図１１を用いて説明する。
【０２４２】
タッチセンサ５９５は、基板５９０、基板５９０上に千鳥状に配置された電極５９１及び
電極５９２、電極５９１及び電極５９２を覆う絶縁層５９３並びに隣り合う電極５９１を
電気的に接続する配線５９４を備える。
【０２４３】
樹脂層５９７は、タッチセンサ５９５が表示部５０１に重なるように、基板５９０を基板
５７０に貼り合わせている。
【０２４４】
電極５９１及び電極５９２は、透光性を有する導電材料を用いて形成する。透光性を有す
る導電性材料としては、酸化インジウム、インジウム錫酸化物、インジウム亜鉛酸化物、
酸化亜鉛、ガリウムを添加した酸化亜鉛などの導電性酸化物を用いることができる。なお
、グラフェンを含む膜を用いることもできる。グラフェンを含む膜は、例えば膜状に形成
された酸化グラフェンを含む膜を還元して形成することができる。還元する方法としては
、熱を加える方法等を挙げることができる。
【０２４５】
透光性を有する導電性材料を基板５９０上にスパッタリング法により成膜した後、フォト
リソグラフィ法等の様々なパターニング技術により、不要な部分を除去して、電極５９１
及び電極５９２を形成することができる。
【０２４６】
また、絶縁層５９３に用いる材料としては、例えば、アクリル、エポキシなどの樹脂、シ
ロキサン結合を有する樹脂の他、酸化シリコン、酸化窒化シリコン、酸化アルミニウムな
どの無機絶縁材料を用いることもできる。
【０２４７】
また、電極５９１に達する開口が絶縁層５９３に設けられ、配線５９４が隣接する電極５
９１を電気的に接続する。透光性の導電性材料は、タッチパネルの開口率を高めることが
できるため、配線５９４に好適に用いることができる。また、電極５９１及び電極５９２
より導電性の高い材料は、電気抵抗を低減できるため配線５９４に好適に用いることがで
きる。
【０２４８】
一の電極５９２は一方向に延在し、複数の電極５９２がストライプ状に設けられている。
【０２４９】
配線５９４は電極５９２と交差して設けられている。
【０２５０】
一対の電極５９１が一の電極５９２を挟んで設けられ、配線５９４は一対の電極５９１を
電気的に接続している。
【０２５１】
なお、複数の電極５９１は、一の電極５９２と必ずしも直交する方向に配置される必要は
なく、９０度未満の角度をなすように配置されてもよい。
【０２５２】
一の配線５９８は、電極５９１又は電極５９２と電気的に接続される。配線５９８の一部
は、端子として機能する。配線５９８としては、例えば、アルミニウム、金、白金、銀、
ニッケル、チタン、タングステン、クロム、モリブデン、鉄、コバルト、銅、又はパラジ
ウム等の金属材料や、該金属材料を含む合金材料を用いることができる。
【０２５３】
なお、絶縁層５９３及び配線５９４を覆う絶縁層を設けて、タッチセンサ５９５を保護す
ることができる。
【０２５４】
また、接続層５９９は、配線５９８とＦＰＣ５０９（２）を電気的に接続する。
【０２５５】
接続層５９９としては、様々な異方性導電フィルム（ＡＣＦ：Ａｎｉｓｏｔｒｏｐｉｃ  
Ｃｏｎｄｕｃｔｉｖｅ  Ｆｉｌｍ）や、異方性導電ペースト（ＡＣＰ：Ａｎｉｓｏｔｒｏ
ｐｉｃ  Ｃｏｎｄｕｃｔｉｖｅ  Ｐａｓｔｅ）などを用いることができる。
【０２５６】
樹脂層５９７は、透光性を有する。例えば、熱硬化性樹脂や紫外線硬化樹脂を用いること
ができ、具体的には、アクリル、ウレタン、エポキシ、またはシロキサン結合を有する樹
脂などの樹脂を用いることができる。
【０２５７】
＜表示部＞
表示部５０１は、マトリクス状に配置された複数の画素を備える。画素は表示素子と表示
素子を駆動する画素回路を備える。
【０２５８】
本実施の形態では、白色の光を射出する有機エレクトロルミネッセンス素子を表示素子に
適用する場合について説明するが、表示素子はこれに限られない。
【０２５９】
例えば、副画素毎に射出する光の色が異なるように、発光色が異なる有機エレクトロルミ
ネッセンス素子を副画素毎に適用してもよい。
【０２６０】
また、有機エレクトロルミネッセンス素子の他、電気泳動方式や電子粉流体方式やエレク
トロウェッティング方式などにより表示を行う表示素子（電子インクともいう）、シャッ
ター方式のＭＥＭＳ表示素子、光干渉方式のＭＥＭＳ表示素子、液晶素子など、様々な表
示素子を表示素子に用いることができる。また、透過型液晶ディスプレイ、半透過型液晶
ディスプレイ、反射型液晶ディスプレイ、直視型液晶ディスプレイなどにも適用できる。
なお、適用する表示素子に好適な構成を様々な画素回路から選択して用いることができる
。
【０２６１】
また、表示部において、画素に能動素子を有するアクティブマトリクス方式、または、画
素に能動素子を有しないパッシブマトリクス方式を用いることが出来る。
【０２６２】
アクティブマトリクス方式では、能動素子（アクティブ素子、非線形素子）として、トラ
ンジスタだけでなく、さまざまな能動素子（アクティブ素子、非線形素子）を用いること
が出来る。例えば、ＭＩＭ（Ｍｅｔａｌ  Ｉｎｓｕｌａｔｏｒ  Ｍｅｔａｌ）、又はＴＦ
Ｄ（Ｔｈｉｎ  Ｆｉｌｍ  Ｄｉｏｄｅ）などを用いることも可能である。これらの素子は
、製造工程が少ないため、製造コストの低減、又は歩留まりの向上を図ることができる。
または、これらの素子は、素子のサイズが小さいため、開口率を向上させることができ、
低消費電力化や高輝度化をはかることが出来る。
【０２６３】
アクティブマトリクス方式以外のものとして、能動素子（アクティブ素子、非線形素子）
を用いないパッシブマトリクス型を用いることも可能である。能動素子（アクティブ素子
、非線形素子）を用いないため、製造工程が少ないため、製造コストの低減、又は歩留ま
りの向上を図ることができる。または、能動素子（アクティブ素子、非線形素子）を用い
ないため、開口率を向上させることができ、低消費電力化、又は高輝度化などを図ること
が出来る。
【０２６４】
可撓性を有する材料を基板５１０および基板５７０に好適に用いることができる。
【０２６５】
意図しない不純物の透過が抑制された材料を基板５１０および基板５７０に好適に用いる
ことができる。例えば、水蒸気の透過率が１０−５ｇ／ｍ２・ｄａｙ以下、好ましくは１
０−６ｇ／ｍ２・ｄａｙ以下である材料を好適に用いることができる。
【０２６６】
線膨張率がおよそ等しい材料を基板５１０および基板５７０に好適に用いることができる
。例えば、線膨張率が１×１０−３／Ｋ以下、好ましくは５×１０−５／Ｋ以下、より好
ましくは１×１０−５／Ｋ以下である材料を好適に用いることができる。
【０２６７】
基板５１０は、可撓性を有する基板５１０ｂ、意図しない不純物の発光素子への拡散を防
ぐバリア膜５１０ａおよび基板５１０ｂとバリア膜５１０ａを貼り合わせる樹脂層５１０
ｃが積層された積層体である。
【０２６８】
例えば、ポリエステル、ポリオレフィン、ポリアミド（ナイロン、アラミド等）、ポリイ
ミド、ポリカーボネートまたはアクリル、ウレタン、エポキシもしくはシロキサン結合を
有する樹脂含む材料を樹脂層５１０ｃに用いることができる。
【０２６９】
基板５７０は、可撓性を有する基板５７０ｂ、意図しない不純物の発光素子への拡散を防
ぐバリア膜５７０ａおよび基板５７０ｂとバリア膜５７０ａを貼り合わせる樹脂層５７０
ｃの積層体である。
【０２７０】
封止材５６０は基板５７０と基板５１０を貼り合わせている。封止材５６０は空気より大
きい屈折率を備える。また、封止材５６０側に光を取り出す場合は、封止材５６０は光学
的に接合する機能を有する層を兼ねる。画素回路および発光素子（例えば第１の発光素子
５５０Ｒ）は基板５１０と基板５７０の間にある。
【０２７１】
《画素の構成》
画素は、副画素５０２Ｒを含み、副画素５０２Ｒは発光モジュール５８０Ｒを備える。
【０２７２】
副画素５０２Ｒは、第１の発光素子５５０Ｒおよび第１の発光素子５５０Ｒに電力を供給
することができるトランジスタ５０２ｔを含む画素回路を備える。また、発光モジュール
５８０Ｒは第１の発光素子５５０Ｒおよび光学素子（例えば第１の着色層５６７Ｒ）を備
える。
【０２７３】
第１の発光素子５５０Ｒは、下部電極、上部電極、下部電極と上部電極の間に発光性の有
機化合物を含む層を有する。
【０２７４】
発光モジュール５８０Ｒは、光を取り出す方向に第１の着色層５６７Ｒを有する。着色層
は特定の波長を有する光を透過するものであればよく、例えば赤色、緑色または青色等を
呈する光を選択的に透過するものを用いることができる。なお、他の副画素において、発
光素子の発する光をそのまま透過する領域を設けてもよい。
【０２７５】
また、封止材５６０が光を取り出す側に設けられている場合、封止材５６０は、第１の発
光素子５５０Ｒと第１の着色層５６７Ｒに接する。
【０２７６】
第１の着色層５６７Ｒは第１の発光素子５５０Ｒと重なる位置にある。これにより、第１
の発光素子５５０Ｒが発する光の一部は第１の着色層５６７Ｒを透過して、図中に示す矢
印の方向の発光モジュール５８０Ｒの外部に射出される。
【０２７７】
《表示部の構成》
表示部５０１は、光を射出する方向に遮光層５６７ＢＭを有する。遮光層５６７ＢＭは、
着色層（例えば第１の着色層５６７Ｒ）を囲むように設けられている。
【０２７８】
表示部５０１は、反射防止層５６７ｐを画素に重なる位置に備える。反射防止層５６７ｐ
として、例えば円偏光板を用いることができる。
【０２７９】
表示部５０１は、絶縁膜５２１を備える。絶縁膜５２１はトランジスタ５０２ｔを覆って
いる。なお、絶縁膜５２１は画素回路に起因する凹凸を平坦化するための層として用いる
ことができる。また、不純物の拡散を抑制できる層を含む積層膜を、絶縁膜５２１に適用
することができる。これにより、予期せぬ不純物の拡散によるトランジスタ５０２ｔ等の
信頼性の低下を抑制できる。
【０２８０】
表示部５０１は、発光素子（例えば第１の発光素子５５０Ｒ）を絶縁膜５２１上に有する
。
【０２８１】
表示部５０１は、第１の下部電極の端部に重なる隔壁５２８を絶縁膜５２１上に有する。
また、基板５１０と基板５７０の間隔を制御するスペーサを、隔壁５２８上に有する。
【０２８２】
《走査線駆動回路の構成》
走査線駆動回路５０３ｇ（１）は、トランジスタ５０３ｔおよび容量５０３ｃを含む。な
お、駆動回路を画素回路と同一の工程で同一基板上に形成することができる。
【０２８３】
《他の構成》
表示部５０１は、信号を供給することができる配線５１１を備え、端子５１９が配線５１
１に設けられている。なお、画像信号および同期信号等の信号を供給することができるＦ
ＰＣ５０９（１）が端子５１９に電気的に接続されている。
【０２８４】
なお、ＦＰＣ５０９（１）にはプリント配線基板（ＰＷＢ）が取り付けられていても良い
。
【０２８５】
表示部５０１は、走査線、信号線および電源線等の配線を有する。様々な導電膜を配線に
用いることができる。
【０２８６】
具体的には、アルミニウム、クロム、銅、タンタル、チタン、モリブデン、タングステン
、ニッケル、イットリウム、ジルコニウム、銀またはマンガンから選ばれた金属元素、上
述した金属元素を成分とする合金または上述した金属元素を組み合わせた合金等を用いる
ことができる。とくに、アルミニウム、クロム、銅、タンタル、チタン、モリブデン、タ
ングステンの中から選択される一以上の元素を含むと好ましい。特に、銅とマンガンの合
金がウエットエッチング法を用いた微細加工に好適である。
【０２８７】
具体的には、アルミニウム膜上にチタン膜を積層する二層構造、窒化チタン膜上にチタン
膜を積層する二層構造、窒化チタン膜上にタングステン膜を積層する二層構造、窒化タン
タル膜または窒化タングステン膜上にタングステン膜を積層する二層構造、チタン膜と、
そのチタン膜上にアルミニウム膜を積層し、さらにその上にチタン膜を形成する三層構造
等を用いることができる。
【０２８８】
具体的には、アルミニウム膜上にチタン、タンタル、タングステン、モリブデン、クロム
、ネオジム、スカンジウムから選ばれた元素の膜、または複数組み合わせた合金膜、もし
くは導電性の窒化膜を積層する積層構造を用いることができる。
【０２８９】
また、酸化インジウム、酸化錫または酸化亜鉛を含む透光性を有する導電材料を用いても
よい。
【０２９０】
＜表示部の変形例１＞
様々なトランジスタを表示部５０１に適用できる。
【０２９１】
ボトムゲート型のトランジスタを表示部５０１に適用する場合の構成を、図１１（Ａ）お
よび図１１（Ｂ）に図示する。
【０２９２】
例えば、酸化物半導体またはアモルファスシリコン等を含む半導体層を、図１１（Ａ）に
図示するトランジスタ５０２ｔおよびトランジスタ５０３ｔに適用することができる。
【０２９３】
例えば、少なくともインジウム（Ｉｎ）、亜鉛（Ｚｎ）及びＭ（Ａｌ、Ｇａ、Ｇｅ、Ｙ、
Ｚｒ、Ｓｎ、Ｌａ、ＣｅまたはＨｆ等の金属）を含むＩｎ−Ｍ−Ｚｎ酸化物で表記される
膜を含むことが好ましい。または、ＩｎとＺｎの双方を含むことが好ましい。
【０２９４】
スタビライザーとしては、ガリウム（Ｇａ）、スズ（Ｓｎ）、ハフニウム（Ｈｆ）、アル
ミニウム（Ａｌ）、またはジルコニウム（Ｚｒ）等がある。また、他のスタビライザーと
しては、ランタノイドである、ランタン（Ｌａ）、セリウム（Ｃｅ）、プラセオジム（Ｐ
ｒ）、ネオジム（Ｎｄ）、サマリウム（Ｓｍ）、ユウロピウム（Ｅｕ）、ガドリニウム（
Ｇｄ）、テルビウム（Ｔｂ）、ジスプロシウム（Ｄｙ）、ホルミウム（Ｈｏ）、エルビウ
ム（Ｅｒ）、ツリウム（Ｔｍ）、イッテルビウム（Ｙｂ）、ルテチウム（Ｌｕ）等がある
。
【０２９５】
酸化物半導体膜を構成する酸化物半導体として、例えば、Ｉｎ−Ｇａ−Ｚｎ系酸化物、Ｉ
ｎ−Ａｌ−Ｚｎ系酸化物、Ｉｎ−Ｓｎ−Ｚｎ系酸化物、Ｉｎ−Ｈｆ−Ｚｎ系酸化物、Ｉｎ
−Ｌａ−Ｚｎ系酸化物、Ｉｎ−Ｃｅ−Ｚｎ系酸化物、Ｉｎ−Ｐｒ−Ｚｎ系酸化物、Ｉｎ−
Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇ
ｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ
−Ｚｎ系酸化物、Ｉｎ−Ｅｒ−Ｚｎ系酸化物、Ｉｎ−Ｔｍ−Ｚｎ系酸化物、Ｉｎ−Ｙｂ−
Ｚｎ系酸化物、Ｉｎ−Ｌｕ−Ｚｎ系酸化物、Ｉｎ−Ｓｎ−Ｇａ−Ｚｎ系酸化物、Ｉｎ−Ｈ
ｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系
酸化物、Ｉｎ−Ｓｎ−Ｈｆ−Ｚｎ系酸化物、Ｉｎ−Ｈｆ−Ａｌ−Ｚｎ系酸化物、Ｉｎ−Ｇ
ａ系酸化物を用いることができる。
【０２９６】
なお、ここで、Ｉｎ−Ｇａ−Ｚｎ系酸化物とは、ＩｎとＧａとＺｎを主成分として有する
酸化物という意味であり、ＩｎとＧａとＺｎの比率は問わない。また、ＩｎとＧａとＺｎ
以外の金属元素が入っていてもよい。
【０２９７】
例えば、レーザーアニールなどの処理により結晶化させた多結晶シリコンを含む半導体層
を、図１１（Ｂ）に図示するトランジスタ５０２ｔおよびトランジスタ５０３ｔに適用す
ることができる。
【０２９８】
トップゲート型のトランジスタを表示部５０１に適用する場合の構成を、図１１（Ｃ）に
図示する。
【０２９９】
例えば、多結晶シリコンまたは単結晶シリコン基板等から転置された単結晶シリコン膜等
を含む半導体層を、図１１（Ｃ）に図示するトランジスタ５０２ｔおよびトランジスタ５
０３ｔに適用することができる。
【０３００】
なお、本実施の形態は、本明細書で示す他の実施の形態と適宜組み合わせることができる
。
【０３０１】
（実施の形態７）
本実施の形態では、本発明の一態様の情報処理装置に適用することができる折り曲げ可能
なタッチパネルの構成について、図１２を参照しながら説明する。
【０３０２】
図１２は、図１０（Ａ）に示すタッチパネル５００ＢのＸ１−Ｘ２における断面図である
。
【０３０３】
本実施の形態で説明するタッチパネル５００Ｂは、供給された画像情報をトランジスタが
設けられている側に表示する表示部５０１を備える点およびタッチセンサが表示部の基板
５１０側に設けられている点が、実施の形態６で説明するタッチパネル５００とは異なる
。ここでは異なる構成について詳細に説明し、同様の構成を用いることができる部分は、
上記の説明を援用する。
【０３０４】
＜表示部＞
表示部５０１は、マトリクス状に配置された複数の画素を備える。画素は表示素子と表示
素子を駆動する画素回路を備える。
【０３０５】
《画素の構成》
画素は、副画素５０２Ｒを含み、副画素５０２Ｒは発光モジュール５８０Ｒを備える。
【０３０６】
副画素５０２Ｒは、第１の発光素子５５０Ｒおよび第１の発光素子５５０Ｒに電力を供給
することができるトランジスタ５０２ｔを含む画素回路を備える。
【０３０７】
発光モジュール５８０Ｒは第１の発光素子５５０Ｒおよび光学素子（例えば第１の着色層
５６７Ｒ）を備える。
【０３０８】
第１の発光素子５５０Ｒは、下部電極、上部電極、下部電極と上部電極の間に発光性の有
機化合物を含む層を有する。
【０３０９】
発光モジュール５８０Ｒは、光を取り出す方向に第１の着色層５６７Ｒを有する。着色層
は特定の波長を有する光を透過するものであればよく、例えば赤色、緑色または青色等を
呈する光を選択的に透過するものを用いることができる。なお、他の副画素において、発
光素子の発する光をそのまま透過する領域を設けてもよい。
【０３１０】
第１の着色層５６７Ｒは第１の発光素子５５０Ｒと重なる位置にある。また、図１２（Ａ
）に示す第１の発光素子５５０Ｒは、トランジスタ５０２ｔが設けられている側に光を射
出する。これにより、第１の発光素子５５０Ｒが発する光の一部は第１の着色層５６７Ｒ
を透過して、図中に示す矢印の方向の発光モジュール５８０Ｒの外部に射出される。
【０３１１】
《表示部の構成》
表示部５０１は、光を射出する方向に遮光層５６７ＢＭを有する。遮光層５６７ＢＭは、
着色層（例えば第１の着色層５６７Ｒ）を囲むように設けられている。
【０３１２】
表示部５０１は、絶縁膜５２１を備える。絶縁膜５２１はトランジスタ５０２ｔを覆って
いる。なお、絶縁膜５２１は画素回路に起因する凹凸を平坦化するための層として用いる
ことができる。また、不純物の拡散を抑制できる層を含む積層膜を、絶縁膜５２１に適用
することができる。これにより、例えば第１の着色層５６７Ｒから拡散する予期せぬ不純
物によるトランジスタ５０２ｔ等の信頼性の低下を抑制できる。
【０３１３】
＜タッチセンサ＞
タッチセンサ５９５は、表示部５０１の基板５１０側に設けられている（図１２（Ａ）参
照）。
【０３１４】
樹脂層５９７は、基板５１０と基板５９０の間にあり、表示部５０１とタッチセンサ５９
５を貼り合わせる。
【０３１５】
＜表示部の変形例１＞
様々なトランジスタを表示部５０１に適用できる。
【０３１６】
ボトムゲート型のトランジスタを表示部５０１に適用する場合の構成を、図１２（Ａ）お
よび図１２（Ｂ）に図示する。
【０３１７】
例えば、酸化物半導体またはアモルファスシリコン等を含む半導体層を、図１２（Ａ）に
図示するトランジスタ５０２ｔおよびトランジスタ５０３ｔに適用することができる。ま
た、一対のゲート電極をトランジスタのチャネルが形成される領域を上下に挟むように設
けてもよい。これにより、トランジスタの特性の変動を抑制し、信頼性を高めることがで
きる。
【０３１８】
例えば、多結晶シリコン等を含む半導体層を、図１２（Ｂ）に図示するトランジスタ５０
２ｔおよびトランジスタ５０３ｔに適用することができる。
【０３１９】
トップゲート型のトランジスタを表示部５０１に適用する場合の構成を、図１２（Ｃ）に
図示する。
【０３２０】
例えば、多結晶シリコンまたは転写された単結晶シリコン膜等を含む半導体層を、図１２
（Ｃ）に図示するトランジスタ５０２ｔおよびトランジスタ５０３ｔに適用することがで
きる。
【０３２１】
なお、本実施の形態は、本明細書で示す他の実施の形態と適宜組み合わせることができる
。
【０３２２】
（実施の形態８）
本実施の形態では、本発明の一態様の情報処理装置について、図１３を参照しながら説明
する。
【０３２３】
図１３は本発明の情報処理装置を説明する図である。
【０３２４】
図１３（Ａ−１）は、携帯型情報処理装置１３００Ａの外形を説明する斜視図である。図
１３（Ａ−２）は、携帯型情報処理装置１３００Ａの上面図である。図１３（Ａ−３）は
、携帯型情報処理装置１３００Ａの使用状態を説明する図である。
【０３２５】
図１３（Ｂ−１）および図１３（Ｂ−２）は、情報処理装置１３００Ｂの外形を説明する
斜視図である。
【０３２６】
図１３（Ｃ−１）および図１３（Ｃ−２）は、情報処理装置１３００Ｃの外形を説明する
斜視図である。
【０３２７】
＜携帯型情報処理装置＞
携帯型情報処理装置１３００Ａは、例えば電話機、電子メール作成閲覧装置、手帳または
情報閲覧装置等から選ばれた一つまたは複数の機能を有する。具体的には、携帯電話また
はスマートフォンとして用いることができる。
【０３２８】
入出力装置は、筐体の複数の面に沿って設けられている。例えば、可撓性を有する入出力
装置を、筐体の内側に沿うように配置する。これにより、文字情報や画像情報等を第１の
領域１２０（１）および／または第２の領域１２０（２）に表示することができる。
【０３２９】
例えば、３つの操作の用に供する画像を第１の領域１２０（１）に表示することができる
（図１３（Ａ−１）参照）。また、図中に破線の矩形で示すように文字情報等を第２の領
域１２０（２）に表示することができる（図１３（Ａ−２）参照）。
【０３３０】
携帯型情報処理装置１３００Ａの上部に第２の領域１２０（２）を配置した場合、携帯型
情報処理装置１３００Ａを洋服の胸ポケットに収納したままの状態で、携帯型情報処理装
置１３００Ａの第２の領域１２０（２）に表示された文字や画像情報を、使用者は容易に
確認することができる（図１３（Ａ−３）参照）。例えば、着信した電話の発信者の電話
番号または氏名等を、携帯型情報処理装置１３００Ａの上方から観察できる。
【０３３１】
なお、携帯型情報処理装置１３００Ａは、振動センサ等と、当該振動センサ等に検知され
た振動に基づいて、着信を拒否するモードに移行するプログラムを記憶した記憶装置を備
えることができる。これにより、使用者は携帯型情報処理装置１３００Ａを洋服の上から
軽く叩いて振動を与えることにより着信を拒否するモードに移行させることができる。
【０３３２】
＜情報処理装置＞
情報処理装置１３００Ｂは、第１の領域１２０（１）および第２の領域１２０（２）を有
する入出力部と、入出力部を支持する筐体１０１を有する。
【０３３３】
筐体は複数の屈曲部を備え、筐体が備える最も長い屈曲部が、第１の領域１２０（１）と
第２の領域１２０（２）に挟まれる。
【０３３４】
情報処理装置１３００Ｂは、最も長い屈曲部に沿って設けられた第２の領域１２０（２）
を側面に向けて使用することができる。
【０３３５】
＜情報処理装置＞
情報処理装置１３００Ｃは、第１の領域１２０（１）および第２の領域１２０（２）を有
する入出力部と、入出力部を支持する筐体１０１を有する。
【０３３６】
筐体は複数の屈曲部を備え、筐体が備える二番目に長い屈曲部が、第１の領域１２０（１
）と第２の領域１２０（２）に挟まれる。
【０３３７】
情報処理装置１３００Ｃは、第２の領域１２０（２）を上部に向けて使用することができ
る。
【０３３８】
なお、本実施の形態は、本明細書で示す他の実施の形態と適宜組み合わせることができる
。
【符号の説明】
【０３３９】
１００    情報処理装置
１０１    筐体
１１０    演算装置
１１１    演算部
１１２    記憶部
１１４    伝送路
１１５    入出力インターフェース
１２０    入出力装置
１２０（１）    第１の領域
１２０（２）    第２の領域
１２０（３）    屈曲部
１３０    表示部
１３０（１）    第１の表示部
１３０（２）    第２の表示部
１４０    位置情報入力部
１４０（１）    第１の位置情報入力部
１４０（２）    第２の位置情報入力部
１４１    基板
１４２    近接センサ
１４５    入出力部
１５０    検知部
１６０    通信部
３００    タッチパネル
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０８    撮像画素
３０８ｐ    光電変換素子
３０８ｔ    トランジスタ
３０９    ＦＰＣ
３１０    基板
３１０ａ    バリア膜
３１０ｂ    基板
３１０ｃ    樹脂層
３１１    配線
３１９    端子
３２１    絶縁膜
３２８    隔壁
３２９    スペーサ
３５０Ｒ    発光素子
３５１Ｒ    下部電極
３５２    上部電極
３５３    層
３５３ａ    発光ユニット
３５３ｂ    発光ユニット
３５４    中間層
３６０    封止材
３６７ＢＭ    遮光層
３６７ｐ    反射防止層
３６７Ｒ    着色層
３７０    対向基板
３７０ａ    バリア膜
３７０ｂ    基板
３７０ｃ    樹脂層
３８０Ｂ    発光モジュール
３８０Ｇ    発光モジュール
３８０Ｒ    発光モジュール
５００    タッチパネル
５００Ｂ    タッチパネル
５０１    表示部
５０２Ｒ    副画素
５０２ｔ    トランジスタ
５０３ｃ    容量
５０３ｇ    走査線駆動回路
５０３ｔ    トランジスタ
５０９    ＦＰＣ
５１０    基板
５１０ａ    バリア膜
５１０ｂ    基板
５１０ｃ    樹脂層
５１１    配線
５１９    端子
５２１    絶縁膜
５２８    隔壁
５５０Ｒ    発光素子
５６０    封止材
５６７ＢＭ    遮光層
５６７ｐ    反射防止層
５６７Ｒ    着色層
５７０    基板
５７０ａ    バリア膜
５７０ｂ    基板
５７０ｃ    樹脂層
５８０Ｒ    発光モジュール
５９０    基板
５９１    電極
５９２    電極
５９３    絶縁層
５９４    配線
５９５    タッチセンサ
５９７    樹脂層
５９８    配線
５９９    接続層
１３００Ａ    携帯型情報処理装置
１３００Ｂ    情報処理装置
１３００Ｃ    情報処理装置
【図１】
2019164828.tif 000003
【図２】
2019164828.tif 000004
【図３】
2019164828.tif 000005
【図４】
2019164828.tif 000006
【図５】
2019164828.tif 000007
【図６】
2019164828.tif 000008
【図７】
2019164828.tif 000009
【図８】
2019164828.tif 000010
【図９】
2019164828.tif 000011
【図１０】
2019164828.tif 000012
【図１１】
2019164828.tif 000013
【図１２】
2019164828.tif 000014
【図１３】
2019164828.tif 000015